(57)【要約】【課題】  原水の供給圧力が変化した場合でも、原水中の混合用薬剤の濃度にバラツキが生じるのを抑制できると共に、濃度を所望の範囲に所定時間維持しつつ混合用薬剤を原水に混合し、好ましいシャワー流量を確保できる混合用アタッチメントを提供する。【解決手段】  原水主流路２１、分岐水路１６及び薬剤収容室１５を有し、原水主流路２１の原水を分岐水路１６を通して薬剤収容室１５に流入させ、収容された混合用薬剤を流入した原水に混合しつつ、原水と共に原水主流路２１に流出させる混合用アタッチメント１０であって、原水主流路２１に於ける、流入路開口部２１ｂの下流側直後の第１縮径部２１ａの断面積Ｓ１は、流入路開口部２１ｂの原水主流路２１の断面積Ｓ２よりも小さく、且つ原水主流路２１の第１縮径部２１ａへの流量Ｑ１と、分岐水路１６への流量Ｑ２との流量分配比Ｑ２／Ｑ１が０．０５〜０．２３である。【選択図】      図２
2006150293.tif 000002
【特許請求の範囲】
【請求項１】
原水主流路、分岐水路及び薬剤収容室を有し、前記原水主流路の原水を前記分岐水路を通して、前記薬剤収容室に流入させ、前記薬剤収容室に収容された混合用薬剤を流入した原水に混合しつつ、該原水と共に原水主流路に流出させる混合用アタッチメントであって、
前記原水主流路に於ける、前記薬剤収容室への前記分岐水路の流入口が開口している部分（流入路開口部）の下流側直後の第１縮径部の断面積Ｓ１は、前記流入路開口部の原水主流路の断面積Ｓ２よりも小さく、且つ前記原水主流路の前記第１縮径部への流量Ｑ１と、前記分岐水路への流量Ｑ２との流量分配比Ｑ２／Ｑ１が０．０５〜０．２３である混合用アタッチメント。
【請求項２】
前記原水主流路における、前記第１縮径部の断面積Ｓ１の前記流入路開口部の断面積Ｓ２に対する断面積比Ｓ１／Ｓ２が０．２〜０．６５である請求項１記載の混合用アタッチメント。
【請求項３】
内側筒体と外側筒体とを有し、前記内側筒体の内側が原水主流路であり、前記内側筒体と前記外側筒体との間の中空部を、前記薬剤収容室とした請求項１又は２に記載の混合用アタッチメント。
【請求項４】
前記分岐水路の流入口は、前記流入路開口部の内側面に開口している請求項１〜３のいずれかに記載の混合用アタッチメント
【請求項５】
前記流入口が開口する部分の上流側直前の原水主流路（第２縮径部）の断面積Ｓ３は、前記流入路開口部の断面積Ｓ２より小さく、且つ、前記第１縮径部の断面積Ｓ１より大きい請求項１〜４のいずれかに記載の混合用アタッチメント。
【請求項６】
前記流入口は、前記第２縮径部の内側面よりも外側に開口している請求項５記載の混合用アタッチメント
【請求項７】
前記薬剤収容室は複数の薬剤収容室から構成され、該薬剤収容室のいづれか一つ又は複数の薬剤収容室を選択して通水させる請求項１〜６のいずれかに記載の混合用アタッチメント。
【請求項８】
薬剤散布器具に取り付けて使用される、請求項１〜７のいずれかに記載の混合用アタッチメント。
【請求項９】
請求項１〜８のいずれかに記載の混合用アタッチメントを一体として取り付けた薬剤散布器具。
【発明の詳細な説明】
【技術分野】
【０００１】
本発明は、混合用薬剤を原水に混合しつつ、該原水と共に流出させる混合用アタッチメント、及び該混合用アタッチメントを一体として取り付けた薬剤散布器具に関する。
【背景技術】
【０００２】
例えばシャワー器具等の散布器具において、ホース等の管路を経て供給される原水に入浴剤等の薬剤を混合用薬剤として添加混合し、これらの混合用薬剤とともに原水を散布器具から散布できるようにしたアタッチメントが開示されている（例えば、特許文献１参照）。
【０００３】
特許文献１に記載のアタッチメントは、図１１に示すように、内側筒体５０と外側筒体５１とからなる２重構造を備えており、内側筒体５０の内側を原水の主通水路５２とすると共に、内側筒体５０と外側筒体５１との間を副通水路（薬剤収容室）５３として、内部に水によって溶出する固形化された化粧剤を封入してなるものである。そして、特許文献１に記載のアタッチメントによれば、薬剤収容室５３への原水の流入口に設けられた円板状配水板５４に対して、これの上流側に重ねて配置された円板状制御板５５を、つまみ５６を介して相対的にスライド回転させることにより、通水孔５７を開閉操作することができるようになっている。
【０００４】
また特許文献１に記載のアタッチメントによれば、ホースによる上流側流路５８から給送される原水は、ホース取付部５９を介して当該ホース取付部５９よりも内径が大きくなった液分配室６０に流入し、この液分配室６０から、内側筒体５０の内側の主通水路５２と、開放時の通水孔５７を介して連通する内側筒体５０と外側筒体５１との間の薬剤収容室５３とに、原水を分配して流入させることができるようになっている。
【特許文献１】実開平６−８１３８９号公報
【発明の開示】
【発明が解決しようとする課題】
【０００５】
一方、例えばシャワー器具に薬剤混合用のアタッチメントを取り付けて用いる場合、シャワー水に混合される薬剤を例えば０．０５〜５．０質量％程度の所定の濃度に保持しつつ、例えば１０〜６０秒間程度の所定の時間継続して薬剤を徐放させるようにすることが好ましく、また薬剤収容室に収容された薬剤を、残すことなく所望の時間内にその略全部を使い切って、効率良く薬剤を散布できるようにすることが好ましい。
【０００６】
また、薬剤収容室（副通水路）と原水主流路を形成した混合用アタッチメントを用いた場合は、原水主流路径（主通水路径）が小さくなるので、シャワー流量が一般シャワー器具と比較すると減少し、シャワー流量を少なく（弱く）感じやすく、感触面で劣るという問題があったため、薬剤収容室（副通水路）と原水主流路を形成した混合用アタッチメントを用いる場合は、一般シャワー器具と同等のシャワー流量を確保できるようにすることが好ましい。
【０００７】
しかしながら、上記従来の混合用アタッチメントによれば、通水孔５７による薬剤収容室５３への流入口は、主通水路５２への流入口と同じ面内において当該主通水路５２への流入口に隣接して設けられており、上流側流路５８からの供給圧力に応じた流量の原水が薬剤収容室５３に流入してゆくことになるため、その供給圧力の強弱によって、薬剤収容室５３において原水に溶解又は希釈された後の主通水路５２の原水中の混合用薬剤の濃度に大きなバラツキが生じやすくなる。また、例えばシャワーを開始してから終了するまでの間に、薬剤収容室に収容された混合用薬剤の量が減少して行くと、特に収容された混合用薬剤が例えば２０００mPa・sec〜３００００mPa・sec程度の粘度を有するものである場合には、薬剤収容室内の薬剤が原水に混合され難くなり、原水中の混合用薬剤の濃度を所望の範囲に維持することが困難になる。
【０００８】
また、薬剤収容室（副通水路）と原水主流路を形成した混合用アタッチメントの場合、原水主流路を流れる原水の流量が多すぎると、薬剤収容室に分配される流量が少なくなり、原水中の混合用薬剤の濃度を所望の濃度範囲内に所定時間維持した状態で混合用薬剤を原水に混合してゆくことが困難であった。また薬剤収容室（副通水路）に分配される流量が多すぎると、混合用薬剤をシャワー水と共に流出させたシャワー流量を、所望の流量に保持しつつ、混合用薬剤を所定の時間継続して徐放させることが困難であった。
【０００９】
本発明は、上流側流路からの原水の供給圧力が変化した場合でも、原水中の混合用薬剤の濃度にバラツキが生じるのを抑制できる混合用アタッチメントを提供することを目的とする。また、本発明は、高い粘度（例えば２０００mPa・sec〜３００００mPa・sec程度）の薬剤を用いる場合や、薬剤収容室に流入する原水が低水量の場合でも、原水中の混合用薬剤の濃度を所望の範囲に所定時間維持しつつ混合用薬剤を原水に混合してゆくことができ、かつ混合用薬剤をシャワー水と共に流出させたシャワー流量を、所望の流量に確保できる混合用アタッチメントを提供することを目的とする。
【課題を解決するための手段】
【００１０】
本発明は、原水主流路、分岐水路及び薬剤収容室を有し、前記原水主流路の原水を前記分岐水路を通して、前記薬剤収容室に流入させ、前記薬剤収容室に収容された混合用薬剤を流入した原水に混合しつつ、該原水と共に原水主流路に流出させる混合用アタッチメントであって、前記原水主流路に於ける、前記薬剤収容室への前記分岐水路の流入口が開口している部分（流入路開口部）の下流側直後の第１縮径部の断面積Ｓ１は、前記流入路開口部の原水主流路の断面積Ｓ２よりも小さく、且つ前記原水主流路の前記第１縮径部への流量Ｑ１と、前記分岐水路への流量Ｑ２との流量分配比Ｑ２／Ｑ１が０．０５〜０．２３である混合用アタッチメント、及び該混合用アタッチメントを一体として取り付けた薬剤散布器具を提供することにより、上記目的を達成したものである。
【発明の効果】
【００１１】
本発明の混合用アタッチメント及び該混合用アタッチメントを一体として取り付けた薬剤散布器具によれば、上流側流路からの原水の供給圧力が使用環境等の原因によって変化した場合でも、原水中の混合用薬剤の濃度にバラツキが生じるのを抑制できると共に、原水中の混合用薬剤の濃度を所望の範囲に所定時間維持しつつ混合用薬剤を原水に混合してゆくことができる。
【００１２】
また、本発明の混合用アタッチメントを一体として取り付けたシャワー器具によれば、原水主流路の第１縮径部への流量Ｑ１と、分岐水路への流量Ｑ２との流量分配比Ｑ２／Ｑ１を０．０５〜０．２３にすることで、シャワー流量を、混合用アタッチメントを用いない一般のシャワー器具の流量（例えば６Ｌ／分〜１５Ｌ／分、好ましくは８Ｌ／分〜１２Ｌ／分）に対して８５〜１００％、好ましくは９０〜１００％にすることができる。これにより、良好なシャワー流量が得られ、且つ原水中の混合用薬剤の濃度を所望の範囲（０．０５〜５．０質量％程度）として、所望の濃度を所定時間（１０〜６０秒間程度）維持しつつ混合用薬剤を原水に混合してゆくことができる。
【発明を実施するための最良の形態】
【００１３】
本発明の好ましい第１実施形態に係る混合用アタッチメント１０は、図１に示すように、例えば、散布器具であるシャワー器具１１と、シャワー水供給ホース１２との間に介在して取り付けられ、原水であるシャワー水に浴用薬剤、洗浄用薬剤、香料薬剤、スキンケア用薬剤等の薬剤を添加混合しつつ下流側のシャワー器具１１に向けて流下させて、これらの薬剤が添加混合されたシャワー水によってシャワーを行うことを可能にし、シャワー器具１１を薬剤散布器具としても用いることができるようにするために採用されたものである。すなわち、本第１実施形態の混合用アタッチメント１０は、例えば合成樹脂からなり、例えば使用者が湯上り用としてシャワーを使用する際に、その都度、薬剤収容室１５（図２参照）に所望量（薬剤の１回あたりの使用量が例えば５〜２５ｇ）の混合用薬剤を注入充填し、入浴の仕上げとして、例えば１０〜６０秒間程度、混合用薬剤を混合したシャワー水を身体に散水させ、当該混合用薬剤を身体に付着させて、これらの薬剤による効用が効果的に得られるようにすることを目的として用いられるものである。
【００１４】
また、本第１実施形態によれば、シャワー器具１１と混合用アタッチメント１０が一体となったシャワーヘッド１００は、混合用アタッチメント１０が後述の構成を備えることにより、好ましくは１７０〜２５０ｍｍの長さと、手持ち部中心部における直径が２５〜４５ｍｍの太さ（手持ち部中心部の周長を直径換算した際の直径）と、１００〜２５０ｇの重量を備えることになる。これによって、本第１実施形態のシャワーヘッド１００は、混合用アタッチメントを用いない一般のシャワー器具によるシャワーヘッドと略同等のヘッドサイズ（大きさ）を備えると共に、一般のシャワー器具によるシャワーヘッドと略同等の軽量化を図ることが可能になる。
【００１５】
さらに、本第１実施形態によれば、薬剤収容室１５に注入充填される混合用薬剤は、例えば２０００〜３００００mPa・secの高い粘度を有している。
なお、混合用薬剤の粘度の測定条件は、使用機器：Ｂ型粘度計（（株）東京什器製）、ローター：Ｎｏ．４（基本）、回転数：１２ｒｐｍ、測定時間：６０秒、測定温度：２５℃である。
【００１６】
そして、本第１実施形態の混合用アタッチメント１０は、図２（ａ），（ｂ）、及び図３に示すように、シャワー水供給ホース１２内の上流側流路１３とシャワー器具１１内の下流側流路１４との間に介在して設けられ、薬剤収容室１５に液体や分散体の状態で収容された薬剤を上流側流路１３から流入した原水に混合しつつ、当該混合用薬剤を希釈又は溶解させた混合液を原水と共に下流側流路１４に流出させるアタッチメントであって、同心状に配置された内側筒体１９と外側筒体２０とを有しており、内側筒体１９の内側は原水主流路２１となっていると共に、内側筒体１９と外側筒体２０との間の円環状断面を有する中空部は、両端を上流側閉塞部２２と下流側閉塞部２３とで覆って薬剤収容室１５となっている。また上流側閉塞部２２に設けられた薬剤収容室１５への原水流入路（分岐水路）１６の流入口１６ｃが、原水主流路２１の内径を絞った部分（以下「第１縮径部」とする。）２１ａの上流側の部分（以下「流入路開口部」とする。）２１ｂに配置されて原水主流路２１の内側面４５に開口している。そして、原水主流路２１の第１縮径部２１ａの内径Ｄ１（断面積Ｓ１）は、原水流入路１６の流入口１６ｃが開口している流入路開口部２１ｂの内径Ｄ２（断面積Ｓ２）に対し、小さくなっている。
【００１７】
また、本第１実施形態の混合用アタッチメント１０によれば、原水主流路２１は、原水流入路１６の流入口１６ｃが開口する部分である流入路開口部２１ｂの上流側の部分（以下「第２縮径部」とする。）２１ｃで内径が一旦絞られた後、当該流入路開口部２１ｂで内径が拡大し、さらにその下流側の第１縮径部２１ａで内径が絞られている。すなわち、第２縮径部２１ｃの内径Ｄ３（断面積Ｓ３）は、流入路開口部２１ｂの内径Ｄ２（断面積Ｓ２）より小さく、且つ、第１縮径部の内径Ｄ１（断面積Ｓ１）より大きくなっている。
【００１８】
流入口１６ｃは、原水を流入口１６ｃに流れ込み易くするために、第２縮径部の内側面２１ｄよりも外側に開口することが望ましい。
【００１９】
本第１実施形態の混合用アタッチメント１０によれば、原水流入路１６は、原水主流路２１の内側面の流入口１６ｃから薬剤収容室１５に向かって斜めに延設する部分１６ａを含んで設けられている。
【００２０】
本第１実施形態によれば、混合用アタッチメント１０は、略円柱形状の装置であって、上端部にはシャワー器具１１が螺合装着される装着穴２４が、周壁３３により囲まれて形成されている。また混合用アタッチメント１０の下端部には、シャワー水供給ホース１２が装着される装着突起２５が、張出し基端部３０から下方に突出して設けられている。そして、装着穴２４と装着突起２５との間を貫通するようにして、混合用アタッチメント１０を縦断する原水主流路２１が、円形断面の混合用アタッチメント１０の中央部分に位置して内側筒体１９の内側に形成されている。
【００２１】
また、内側筒体１９と同心状に配置される外側筒体２０は、合成樹脂製の部材であって、上下の端部から径方向内方に突出して一体として設けられた上流側内側閉塞部２２ｂ及び下流側内側閉塞部２３ｂと、内側筒体１９の外周面と、当該外側筒体２０とで囲まれた空間が円環状断面の薬剤収容室１５を形成している。また外側筒体２０には、これの上端部分に空気孔２６が開口形成されていると共に、下端部分に水抜き注入孔２７（水抜き及び薬剤の注入を行うための孔）が空気孔２６の垂直下方に位置して設けられている。さらに外側筒体２０の外側を覆うようにして、透明な円筒状のカバー体２８が装着されており、このカバー体２８は、外側筒体２０に対して上下にスライド移動可能で、且つ外側筒体２０と係止一体化されて外側筒体２０と共に上流側外側閉塞部２２ａ及び下流側外側閉塞部２３ａに対して回転スライド可能に設けられている。外側筒体２０は透明性を有している。
【００２２】
なお、本第１実施形態によれば、外側筒体２０と内側筒体１９との間の薬剤収容室１５は、その容量が５〜２５ｍＬとなっていることが好ましい。薬剤収容室１５の容量が５〜２５ｍＬとなっていることにより、シャワーヘッドの大きさを適正サイズにすることができ、シャワー使用時の流量低減を抑制できるという利点が得られる。
【００２３】
さらに、本第１実施形態によれば、上流側内側閉塞部２２ｂと共に上流側閉塞部２２を構成する上流側外側閉塞部２２ａは、張出し基端部３０を挟んで装着突起２５と一体成形され、内側筒体１９の外周面を覆うようにして装着固定されると共に、上流側内側閉塞部２２ｂの外側から内側筒体１９と外側筒体２０との間の間隔を塞ぐように取り付けられる部分である。また下流側内側閉塞部２３ｂと共に下流側閉塞部２３を構成する下流側外側閉塞部２３ａは、内側筒体１９の上端から径方向外方に延設されるようにして内側筒体１９と一体成形され、下流側内側閉塞部２３ｂの外側から内側筒体１９と外側筒体２０との間の間隔を塞ぐように設けられる部分である。なお、本第１実施形態によれば、外側閉塞部２２ａ，２３ａと内側閉塞部２２ｂ，２３ｂとの接合箇所やその他の部材同士の接合箇所には、必要に応じて適宜Ｏリング等が設けられ、これらの接合箇所の止水性を向上させている。
【００２４】
また、本第１実施形態によれば、混合用アタッチメント１０は、一般のシャワー使用時の流量である例えば６Ｌ／分〜１５Ｌ／分、好ましくは８Ｌ／分〜１２Ｌ／分の流量でシャワーを使用した際に、原水主流路２１の第１縮径部２１ａへの流量Ｑ１と、原水流入路１６ａへの流量Ｑ２との流量分配比Ｑ２／Ｑ１が０．０５〜０．２３となるように設定されている。これによって、原水流入路１６を開放した際や閉鎖した際の、シャワー器具１１の散水板から散水されるシャワー水の流量を、一般のシャワー器具の流量に対して８５〜１００％、好ましくは９０〜１００％にすることが可能になり、良好なシャワー流量が得られることになる。また原水中の混合用薬剤の濃度を所望の範囲（０．０５〜５．０質量％程度）として、所望の濃度を所定時間（好ましくは１０〜６０秒間程度）維持しつつ混合用薬剤を原水に混合しながら、シャワー水を例えば湯上がり用として身体に浴びることが可能になる。
【００２５】
なお、本第１実施形態によれば、原水主流路２１の第１縮径部２１ａの内径Ｄ１は、好ましくは４．２〜５．４ｍｍ（断面積Ｓ１は１３．９〜２２．９ｍｍ2）となっており、流入路開口部２１ｂの内径Ｄ２は、好ましくは６．７〜９．５ｍｍ（断面積Ｓ２は３５．３〜７０．９ｍｍ2）となっている。これらにより原水主流路に所望の流量を通水することができ、良好なシャワー流量が得られることになる。
【００２６】
そして、本第１実施形態によれば、図３に示すように、原水流入路１６の流入口１６ｃが開口する原水主流路２１の流入路開口部２１ｂの下流側直後において、内径が絞られる部分である第１縮径部２１ａは、原水主流路２１の軸方向と直角な面に沿った円環状の段差面４２を流入路開口部２１ｂとの間に介在させることにより、その直径Ｄ１が、流入路開口部２１ｂの直径Ｄ２の０．４〜０．８（断面積比Ｓ１／Ｓ２が０．２〜０．６５）の割合となるように縮径している。これにより流入口１６ｃの開放時に当該流入口１６ｃに原水を取り込みやすいという利点が得られることになる。
【００２７】
さらに、本第１実施形態によれば、シャワー器具１１の散水板に形成された多数の散水孔の総開口面積は、好ましくは３０〜６０ｍｍ2となっている。散水孔の総面積が３０ｍｍ2〜６０ｍｍ2となっていることにより、シャワー水の散水流量の低下が抑制でき、使用時の肌への感触が心地良いシャワー器具が得られる。
【００２８】
原水主流路２１の第１縮径部２１ａの内径Ｄ１に対する、原水流入路１６ａの内径Ｃ（断面積Ｓ４）（図３参照）の比Ｃ／Ｄ１は、０．４６〜０．９５（断面積比Ｓ４／Ｓ１が０．２〜０．９）となっていることが好ましい。第１縮径部２１ａの内径Ｄ１に対する原水流入路１６ａの内径Ｃの比が０．４６〜０．９５となっていることにより、原水流入路１６ａ（薬剤収容室１５）に所望量の原水が流入しやすくなるという利点が得られることになる。
【００２９】
また、本第１実施形態によれば、原水流入路１６の流入口１６ｃは、流入路開口部２１ｂの内側面４５において開口しており、原水流入路１６の上流側外側閉塞部２２ａに形成される外側原水流入路１６ａは、例えばシャワー器具においては、２．５〜４ｍｍ程度の内径Ｃを備えると共に、流入口１６ｃから薬剤収容室１５に向かって、原水主流路２１の軸方向に対して例えば５〜８０度程度の角度で斜めに延設して設けられている。
【００３０】
さらに、本第１実施形態によれば、原水流入路１６の流入口１６ｃが開口する流入路開口部２１ｂの上流側直前において、原水主流路２１は、第２縮径部２１ｃとしてその内径が一旦絞られている。すなわち、第２縮径部２１ｃは、原水主流路２１の軸方向と直角な面に沿った円環状の段差面４３を流入路開口部２１ｂとの間に介在させることにより、その内径Ｄ３が、流入路開口部２１ｂの内径Ｄ２の５０〜９０％（断面積比Ｓ３／Ｓ２が０．２５〜０．８）の割合となるように縮径している。これにより第２縮径部２１ｃを通過した原水には、流入路開口部２１ｂで原水主流路２１の軸方向に対し斜め方向への流動が発生し、当該流入口１６ｃに原水を取り込みやすいという利点が得られることになる。また、本第１実施形態によれば、第２縮径部２１ｃの内径Ｄ３は、第１縮径部２１ａの内径Ｄ１より大きくなっている。それにより更に当該流入口１６ｃに原水を取り込みやすいという利点が得られることになる。
【００３１】
一方、本第１実施形態によれば、外側筒体２０の外側に装着されたカバー体２８の操作によって、スライド係止機構を介して薬剤収容室１５の流入路１６及び流出路１７の開閉や、薬剤収容室１５からの水抜き及び薬剤収容室１５への混合用薬剤の注入が可能な状態への切替えを、容易に行うことができるようになっている。すなわち、図４に示すように、円筒状のカバー体２８の上半部分には、当該カバー体２８のスライド移動を容易に行わせるための滑り止め用の凸状３７が複数設けられており、またカバー体２８の下端縁部には、スライド係止機構として切り欠き凹部２９が設けられ、この切り欠き凹部２９は、装着突起２５の張出し基端部３０から上方に突出して設けられた基端係止突起３１と係止されるようになっている。また、カバー体２８の上端には、カバー体突起３２が上方に突出して設けられ、このカバー体突起３２は、装着穴２４の周壁３３の下端縁に沿って周方向に延設形成された切欠き凹溝３４にスライド可能に遊嵌係止されるようになっている。さらに、カバー体２８には、その上端部にカバー体空気孔３５が、その下端部にカバー体水抜き注入孔３６が各々開口形成されており（図２（ａ）参照）、これらのカバー体空気孔３５及びカバー体水抜き注入孔３６は、外側筒体２０の空気孔２６及び水抜き注入孔２７と同時に合致できるように、これらの間隔と等しい間隔で、且つカバー体水抜き注入孔３６をカバー体空気孔３５の垂直下方に位置させた状態で設けられている。
【００３２】
そして、カバー体２８を外側筒体２０に対して下方にスライド移動させて切り欠き凹部２９を基端係止突起３１に係止させれば、空気孔２６とカバー体空気孔３５、及び水抜き注入孔２７とカバー体水抜き注入孔３６とが同時に合致することになると共に（図５（ａ），（ｂ）参照）、上流側外側閉塞部２２ａに形成された外側原水流入路１６ａと上流側内側閉塞部２２ｂに形成された内側原水流入路１６ｂ、及び下流側外側閉塞部２３ａに形成された外側流出路１７ａと、下流側内側閉塞部２３ｂに形成された内側流出路１７ｂが連通しない状態となる。この状態（図３参照）から、カバー体２８を外側筒体２０に対して上方にスライド移動させれば、切り欠き凹部２９の基端係止突起３１への係止状態が開放されると共に、カバー体２８の上端のカバー体突起３２が切欠き凹溝３４の左端に配置され、またカバー体２８の内側面に形成された一体化係止溝３８が、外側筒体２０の外周面に形成された一体化係止凸条３９に係止されて、カバー対２８と外側筒体２０とが一体として回転できる状態となる。なお、カバー体２８を外側筒体２０に対して上方にスライド移動させることにより、合致していた空気孔２６とカバー体空気孔３５、及び水抜き注入孔２７とカバー体水抜き注入孔３６が上下にずれてこれらが閉塞されることになる（図２（ａ）参照）。
【００３３】
カバー体２８を上方にスライド移動させてカバー体２８と外側筒体２０とが一体として回転可能な状態から、さらに、カバー体突起３２を切欠き凹溝３４に沿って右側に回転移動させつつ、カバー体突起３２が切欠き凹溝３４の右端に当接するまでこれらをスライド回転させれば、外側閉塞部２２ａ，２３ａと内側閉塞部２２ｂ，２３ｂとが相対的にスライド回転して、上流側外側閉塞部２２ａに形成された外側原水流入路１６ａと上流側内側閉塞部２２ｂに形成された内側原水流入路１６ｂ、及び下流側外側閉塞部２３ａに形成された外側流出路１７ａと下流側内側閉塞部２３ｂに形成された内側流出路１７ｂとが連通した状態となり（図２（ｂ）参照）、原水流入路１６及び流出路１７が同時に形成されて、薬剤収容室１５に原水を流入させると共に混合用薬剤を流出させることが可能になる。
【００３４】
一方、原水流入路１６及び流出路１７が同時に開放されて混合用薬剤の流出が可能となった状態から、カバー体２８と外側筒体２０とを一体として逆方向にスライド回転させれば、原水流入路１６及び流出路１７が同時に閉塞して、混合用薬剤の流出及び原水の薬剤収容室１５への流入が遮断された状態に容易に復帰することになる。さらにカバー体２８を外側筒体２０に対して下方にスライド移動させれば、空気孔２６とカバー体空気孔３５、及び水抜き注入孔２７とカバー体水抜き注入孔３６が合致した状態に再び復帰することになり、薬剤収納室１５に残存する流体を排出することが可能になる。
【００３５】
なお、本第１実施形態によれば、薬剤収容室１５の上流側端部における原水流入路１６の出口と接続して、流出路１７に向かう螺旋流を薬剤収容室１５内に生じさせる螺旋流発生手段１８が設けられている。すなわち、本第１実施形態によれば、螺旋流発生手段１８は、例えば図６にも示すように、内側原水流入路１６ｂと連通して上流側内側閉塞部２２ｂの上方に突出して設けられると共に、円環状断面を有する薬剤収容室１５の下端部分に周方向に１８０度の間隔をおいて配置された、放流口４１を有する上端が閉塞された一対の中空円筒突起４０からなるものである。またこれらの中空円筒突起４０は、放流口４１を、各々円環状断面の薬剤収容室１５の周方向に開口させていることより、原水流入路１６から流入する原水を円環状断面の周方向に向けて放流口４１から放流させ、これによって薬剤収容室１５内に、流出路１７に向かう螺旋流を発生させるようになっている。ここで、中空円筒突起４０の放流口４１は、その孔の面積を２〜８ｍｍ2とすることが好ましい。
【００３６】
図７（ａ）及び（ｂ）は、本発明の第２実施形態に係る混合用アタッチメント８０を示すものである。本第２実施形態の混合用アタッチメント８０は、上記第１実施形態の混合用アタッチメント１０と略同様の構成を備える一方で、内側筒体１９に対する外側筒体２０の回転操作によって上流側閉塞部８１に形成された原水流入路８３及び下流側閉塞部８２に形成された流出路８４の開閉を行う機構が、上記第１実施形態の開閉機構とは相違している。また本第２実施形態によれば、上流側閉塞部８１に設けられた薬剤収容室１５への原水流入路８３の流入口８３ｃが、原水主流路２１の内径を絞った部分（第１縮径部）２１ａの上流側の部分（流入路開口部）２１ｂにおいて、当該第１縮径部２１ａの直前に配置されて原水流入路２１の内側面に開口している。さらに、原水流入路８３は、流入口８３ｃから薬剤収容室１５に向かって斜めに延設する部分を含むことなく、その開始部分において流入口８３ｃから原水主流路２１の軸方向と垂直な方向に延設して設けられている。
【００３７】
また、本第２実施形態によれば、内側筒体１９には、周面が上流側閉塞部８１及び下流側閉塞部８２によって覆われる部分に、上流側連通孔８５及び下流側連通孔８６が、当該内側筒体１９の周壁を横方向に貫通するようにして、周方向の同じ位置に上下に配置されて各々開口形成されている。また上流側閉塞部８１及び下流側閉塞部８２の内部に各々形成された流入路８３及び流出路８４は、円環状部分である当該上流側閉塞部８１及び下流側閉塞部８２の周方向に沿って、これらの中央部分を同心状かつ円環状に貫通するようにして各々設けられている。
【００３８】
さらに、本第２実施形態によれば、上流側閉塞部８１の内部に形成された原水流入路８３は、周方向の特定の位置において、内側筒体１９の外周面を覆う部分の上流側閉塞部８１を貫通して形成された流入口８７（図７（ｂ）参照）を有していると共に、流入路８３の天面壁を貫通して周方向に複数箇所開口形成された収容室側連通孔８８を有しており、これらの収容室側連通孔８８を介して、流入路８３から薬剤収容室１５に原水を供給することができるようになっている。また下流側閉塞部８２の内部に形成された流出路８４は、流入口８７と同じ方向を向いた周方向の特定の位置において、内側筒体１９の外周面を覆う部分の下流側閉塞部８２を貫通して形成された流出口８９（図７（ｂ）参照）を有していると共に、流出路８４の下面壁を貫通して周方向に複数箇所開口形成された収容室側連通孔９０を有しており、これらの収容室側連通孔９０を介して、混合用薬剤を混入した原水を薬剤収容室１５から流出路８４に排出することができるようになっている。
【００３９】
そして、本第２実施形態の混合用アタッチメント８０によれば、上記第１実施形態の混合用アタッチメント１０と同様の、内側筒体１９に対する、上流側閉塞部８１及び下流側閉塞部８２に係止一体化された外側筒体２０の回転操作によって、図７（ａ）に示すような、上流側連通孔８５及び下流側連通孔８６と、流入路８３の流入口８７及び流出路８４の流出口８９とが互いにずれた状態と、図７（ｂ）に示すような、上流側連通孔８５及び下流側連通孔８６と、流入路８３の流入口８７及び流出路８４の流出口８９とが同時に合致する状態とを容易に切り替えることができると共に、上流側閉塞部８１に設けられた薬剤収容室１５への原水流入路８３の流入口８３ｃが、原水主流路２１の内径を絞った部分２１ａの上流側の部分２１ｂに配置されて原水流入路２１の内側面に開口しているので、上記第１実施形態の混合用アタッチメント１０と同様の作用効果を奏することになる。
【００４０】
図８は、本発明の第３実施形態に係る混合用アタッチメント６１を示すものである。本第３実施形態の混合用アタッチメント６１は、上記第２実施形態の混合用アタッチメント８０と略同様の構成を備える一方で、外側筒体６２の外側にカバー体２８を有しておらず、外側筒体６２の軸方向Ｘにスライド移動可能に取り付けられた開閉スライド部材６３を介した操作によって、空気孔２６や水抜き注入孔２７を開閉したり、原水流入路６４や流出路６５を開閉したりできるようになっている。すなわち、開閉スライド部材６３を外側筒体６２に対して上下にスライド移動することにより、空気孔２６や水抜き注入孔２７を開閉することができ、外側筒体６２を上流側閉塞部６６及び下流側閉塞部６７と共に内側筒体６８に対して周方向にスライド移動することにより、上流側閉塞部６６に形成された原水流入路６４や下流側閉塞部６７に形成された流出路６５の開閉を行うことができるようになっている。
【００４１】
そして、本第３実施形態の混合用アタッチメント６１によれば、外側筒体６２と内側筒体６８との間の薬剤収容室６９は、５〜２５ｍＬの容量を備えており、例えば２０００〜３００００mPa・secの粘度の混合用薬剤が注入充填されることになる。また、例えば散水板の散水孔の総面積を３０〜６０ｍｍ2として、６Ｌ／分〜１５Ｌ／分、好ましくは８Ｌ／分〜１２Ｌ／分の流量でシャワーを使用した際に、原水流入路６４を経て薬剤収容室６９に流入する流量Ｑ２と、原水主流路２１の第１縮径部２１ａを流れる流量Ｑ１との流量分配比Ｑ２／Ｑ１が、０．０５〜０．２３となるように設定されている。
【００４２】
さらに、原水主流路２１の第１縮径部２１ａの内径Ｄ１は４．２〜５．４ｍｍ（断面積Ｓ１は１３．９〜２２．９ｍｍ2）となっており、流入路開口部２１ｂの内径Ｄ２は６．７〜９．５ｍｍ（断面積Ｓ２は３５．３〜７０．９ｍｍ2）となっている。したがって、第１縮径部２１ａの内径Ｄ１は、流入路開口部２１ｂの内径Ｄ２の０．４〜０．８（断面積比Ｓ１／Ｓ２が０．２〜０．６５）の割合となるように縮径している。さらにまた、流入路開口部２１ｂの上流側直後の原水主流路（第２縮径部）２１ｃの内径Ｄ３は、流入路開口部２１ｂの内径Ｄ２と等しくなっている。また、原水流入路６４の流入口６４ａの内径Ｃは、２．５〜４ｍｍとなっており、したがって原水主流路２１の第１縮径部２１ａの内径Ｄ１に対する、原水流入路６４の流入口６４ａの内径Ｃの比Ｃ／Ｄ１は、０．４６〜０．９５（断面積比Ｓ４／Ｓ１が０．２〜０．９）となっている。
【００４３】
そして、本第３実施形態の混合用アタッチメント６１が取り付けられたシャワーヘッド１００によっても、上述の第１実施形態と同様の作用効果を奏することになる。
【００４４】
なお、本発明は上記各実施形態に限定されることなく種々の変更が可能である。例えば、本発明の混合用アタッチメントは、シャワー水に浴用薬剤やスキンケア用薬剤等の身体用薬剤を混合して送り出すものに限定されることなく、シャワー器具以外のその他の散布器具に取り付けて、各種の液体や分散体の家庭用薬剤や農業用薬剤等の薬剤を原水に混合するべく採用することもできる。
【００４５】
また、薬剤収容室は隔壁を設ける等により、複数配設する事が出来る。薬剤収容室を複数配設し、いづれか一つ又は複数の薬剤収容室を選択して、異なる機能を有する個々の薬剤を同時にまたは時間差を設けて原水に混合し、シャワー水とともに散布する事ができる。複数の薬剤収容室を設けることにより、例えば混合すると保存安定性が悪くなるような薬剤を個々の薬剤収容室に収納し、使用時に混合して使用することができる。また、同一薬剤を別々の薬剤収容室に収容し、薬剤濃度の異なるシャワー水を散布することができる。
【００４６】
さらに、薬剤収容室１５の内部には、例えば比重の異なる２種類の流動子を各々２個ずつ合計４個収容することができる。流動子は、流入口１６から流出口１７へ向かう水の流れの作用によって、薬剤収容室１５の内部において、壁面に衝突したり流動子同士で衝突しながら上下左右にあばれるようにして自由に動く（遊動する）ことができるようになっている。これによって、薬剤収容室１５に流入した原水にシャワー剤をさらにスムーズに混合することが可能になる。
【００４７】
そして、本発明によれば、例えば上述の構成を有する混合用アタッチメント１０，８０，６１を、シャワー器具とシャワー水供給ホースとの間に介在させて使用する以外に、図９に示すように、これらの混合用アタッチメント１０，８０，６１をシャワー器具７０に一体として取り付けて、混合用薬剤をシャワー水と共に流出させる状態と、シャワー水のみを流出させる状態とを切り替え可能な機能を備えるシャワー器具７０として用いることもできる。すなわち、混合用アタッチメント１０，８０，６１は、公知の各種の取付け手段を介して、例えば脱塩素フィルターを備える浄水部７１と共に、シャワー器具７０に一体として取り付けて用いることができる。また、混合用アタッチメント１０，８０，６１は、シャワー器具７０の外部から見えないように当該シャワー器具７０に内蔵させて取り付けることもできる。
【実施例】
【００４８】
以下、本発明を実施例及び比較例に基づいてさらに詳細に説明するが、本発明はこれらに限定されるものではない。
【００４９】
上記第３実施形態の混合用アタッチメントと略同様の構成を備え、第１縮径部への流量Ｑ１と分岐水路への流量Ｑ２との流量分配比Ｑ２／Ｑ１、及び第１縮径部の断面積Ｓ１の流入路開口部の断面積Ｓ２に対する断面積比Ｓ１／Ｓ２が、表１に示す値となるように設定された混合用アタッチメントを、実施例1〜１０の混合用アタッチメント、及び比較例1〜３の混合用アタッチメントとした。各混合用アタッチメントの薬剤収容室（容量１５ｍＬ）に混合用薬剤（粘度１３０００mPa・sec、使用量１２ｇ）を収容して、図１に示すシャワー器具に各々取り付け、後述する測定方法によって溶解時間（秒）とシャワー流量比の測定を行った。測定結果を表１に示す。なお、原水として３８〜４０℃の湯を使用し、８Ｌ／分の流量でシャワー器具に供給した。
【００５０】
【表１】
2006150293.tif 000003
【００５１】
〔溶解時間の測定方法〕
実施例１〜１０及び比較例１〜３の混合用アタッチメントの各薬剤収容室に、粘度１３０００mPa・sec、比重０．９３の着色した混合用薬剤を、１２ｇ充填収容した後に、シャワー水供給ホースから８Ｌ／分の流量で原水を各混合用アタッチメントに供給しつつ、原水流入路及び流出路を開放して、原水を薬剤収容室に通水させた後に、薬剤収容室内の混合用薬剤が目視によって認められなくなるまでの時間を測定した。
【００５２】
〔シャワー流量の測定方法〕
実施例１〜１０、比較例１〜３の各混合用アタッチメントから、図１０に示すように薬剤収容室を構成している外側筒体６２を取り外すと共に、原水流入路６４及び流出路６５を開放した状態で、シャワー水供給ホースから８Ｌ／分の流量で各混合用アタッチメントに原水を供給する。ここで、散水板より散水されるシャワー流量Ｑ４、流出路６５より吐出する流量Ｑ３、原水流入路６４より吐出する流量Ｑ２を測定する。そして、シャワー流量Ｑ４に流出路６５より吐出する流量Ｑ３を足した流量を、原水主流路の第一縮径部への流量Ｑ１とし、Ｑ２／Ｑ１を流量分配比とする。また、一般のシャワー器具（ＴＯＴＯ社製の品番ＴＨＹ７１７）を用いて散水孔より散水されるシャワー流量Ｑ５を測定し、実施例１〜１０、比較例１〜３の各混合用アタッチメントの原水主流路のみに通水した場合のシャワー流量をＱ６とし、Ｑ６／Ｑ５をシャワー流量比とする。
【００５３】
表１に示す溶解時間とシャワー流量比の測定結果から明らかな様に、本発明に係る流量分配比及び断面積比に設定した実施例１〜１０の混合用アタッチメントは、比較例１〜３の混合用アタッチメントと比較して、１０〜６０秒程度の所望の時間内に、剤残りを顕著に少なくして混合用薬剤を効率良く原水に混合でき、また所望のシャワー流量を確保することができ、例えば湯上り用のシャワーを行うのに好適であることが判明する。
【図面の簡単な説明】
【００５４】
【図１】本発明に係る混合用アタッチメントをシャワー器具に取り付けて使用する状況を説明する側面図である。
【図２】（ａ）及び（ｂ）は、本発明の第１実施形態に係る混合用アタッチメントにより混合用薬剤を原水に混合する状況を説明する断面図である。
【図３】薬剤収容室への原水流入路の流入口を、原水主流路の内径を絞った部分の上流側の部分に配置する構成を説明する要部拡大断面図である。
【図４】本発明の第１実施形態に係る混合用アタッチメントにおけるスライド係止機構を説明する正面図ある。
【図５】（ａ）及び（ｂ）は、本発明の第１実施形態に係る混合用アタッチメントに混合用薬剤を補充する状況を説明する断面図である。
【図６】本発明の第１実施形態に係る混合用アタッチメントに設けられた螺旋流発生手段を説明する略示斜視図である。
【図７】（ａ）及び（ｂ）は、本発明の第２実施形態に係る混合用アタッチメントにより混合用薬剤を原水に混合する状況を説明する断面図である。
【図８】本発明の第３実施形態に係る混合用アタッチメントを示す断面図である。
【図９】本発明に係る混合用アタッチメントを一体として取り付けたシャワー器具を例示する断面図である。
【図１０】実施例１〜１０、比較例１〜３の各混合用アタッチメントにおける、散水板、流出路、及び原水流入路より流出する流量Ｑ４，Ｑ３，Ｑ２と第一縮径部への流量Ｑ１を、外側筒体を取り外した状態で説明する断面図である。
【図１１】従来の混合用アタッチメントを説明する部分破断側面図である。
【符号の説明】
【００５５】
１０，８０，６１  混合用アタッチメント
１１，７０  シャワー器具
１２  シャワー水供給ホース
１３  上流側流路
１４  下流側流路
１５，６９  薬剤収容室
１６，８３，６４  原水流入路（分岐水路）
１６ａ  外側原水流入路
１６ｂ  内側原水流入路
１６ｃ，８３ｃ  原水流入路の流入口
１７，８４，６５  流出路
１７ａ  外側流出路
１７ｂ  内側流出路
１９，６８  内側筒体
２０，６２  外側筒体
２１  原水主流路
２１ａ  第１縮径部（原水主流路の流入路開口部の下流側直後の部分）
２１ｂ  流入路開口部（原水主流路の薬剤収容室への分岐水路の流入口が開口している部分）
２１ｃ  第２縮径部（原水主流路の流入路開口部の上流側直前の部分）
２１ｄ  第２縮径部の内側面
２２，８１，６６  上流側閉塞部
２３，８２，６７  下流側閉塞部
２８  カバー体
４２，４３  段差面
４５  原水主流路（流入路開口部）の内側面
８５  上流側連通孔
８６  下流側連通孔
８７  流入口
８８，９０  収容室側連通孔
８９  流出口
【図１】
2006150293.tif 000004
【図２】
2006150293.tif 000005
【図３】
2006150293.tif 000006
【図４】
2006150293.tif 000007
【図５】
2006150293.tif 000008
【図６】
2006150293.tif 000009
【図７】
2006150293.tif 000010
【図８】
2006150293.tif 000011
【図９】
2006150293.tif 000012
【図１０】
2006150293.tif 000013
【図１１】
2006150293.tif 000014